(57)【要約】【課題】転写ロールの装着・離脱を容易にし、装置本体カバーの強い開閉動作の場合おいても転写ロールの脱落（抜け）を防止する転写装置及び画像形成装置を提供する。【解決手段】転写ロール５０と、転写ロール５０を転写ロールの直径方向に移動自在で、且つ回転自在に支持する支持部材５２と、支持部材５２を転写ロール５０の直径方向に一方側に付勢する付勢部材５４と、転写ロール５０を転写ロールの直径方向の他方側に解除自在に押し付ける押付部材５６とを有する。【選択図】図７
2009229677.tif 000002
【特許請求の範囲】
【請求項１】
転写ロールと、
前記転写ロールを前記転写ロールの直径方向に移動自在で、且つ回転自在に支持する支持部材と、
前記支持部材を前記転写ロールの直径方向の一方側に付勢する付勢部材と、
前記転写ロールを前記転写ロールの直径方向の他方側に解除自在に押し付ける押付部材と、
を有する転写装置。
【請求項２】
前記転写ロールは、導電性の軸部と、この軸部の周囲に設けられた転写ロール本体とを有し、前記支持部材は、前記軸部を支持し、前記支持部材及び前記付勢部材が導電性である請求項１記載の転写装置。
【請求項３】
前記転写ロールは、前記転写ロールにより転写されるトナー像が保持される像保持体との軸間距離を制御するトラッキングロールを有する請求項１又は２記載の転写装置。
【請求項４】
前記押付部材は、前記転写ロールの軸部の端部を覆う保護部を有する請求項１乃至３いずれか記載の転写装置。
【請求項５】
前記押付部材は、前記転写ロールの軸部の端部を清掃する清掃部を有する請求項１乃至４いずれか記載の転写装置。
【請求項６】
開閉自在に設けられた開閉部を有する画像形成装置本体と、
トナー像が保持される像保持体と、
前記開閉部に設けられた転写装置とを有し、
前記転写装置は、
前記像保持体に対向して設けられた転写ロールと、
前記転写ロールを前記転写ロールの直径方向に移動自在で、且つ回転自在に支持する支持部材と、
前記支持部材を前記転写ロールの直径方向の像保持体側に付勢する付勢部材と、
前記転写ロールを前記転写ロールの直径方向の反像保持体側に解除自在に押し付ける押付部材と、
を有する画像形成装置。
【請求項７】
前記開閉部を閉じた場合に前記押付部材が前記転写ロールを押し付けるように前記押付部材を前記開閉部に係合させる係合手段を有する請求項６記載の画像形成装置。
【請求項８】
前記開閉部を開いた場合に前記押付部材の前記開閉部との係合を解く解除手段を有する請求項６記載の画像形成装置。
【発明の詳細な説明】
【技術分野】
【０００１】
本発明は、転写装置及びこれを有する画像形成装置に関するものである。
【背景技術】
【０００２】
特許文献１は、接触転写部材と転写材案内部材の少なくとも一部とを一つの転写ユニットとして構成する一方、装置本体の転写ユニットに対応した部位には転写材搬送経路に面して開閉自在な扉カバーを設け、この扉カバーには前記転写ユニットを取外し自在に保持すると共に、扉カバー閉時に転写ユニットが位置決め可能な位置決め機構を開示する。
【０００３】
【特許文献１】特開２００５−１７２８５６号公報
【発明の開示】
【発明が解決しようとする課題】
【０００４】
しかしながら、特許文献１では、開閉自在な扉カバーに転写ユニットを取外し自在に保持するため、開閉動作において転写ロールが脱落したり、転写ユニットを外す際に案内部材を傷つけたり汚したりし、その結果、用紙（転写材）のジャムに繋がる恐れがある。
【０００５】
そこで、本発明は、転写ロールの装着・離脱を容易にし、強い開閉動作の場合おいても転写ロールの脱落（抜け）を防止する転写装置及び画像形成装置を提供することを目的とする。
【課題を解決するための手段】
【０００６】
上記目的を達成するため、本発明の特徴とするところは、転写ロールと、前記転写ロールを前記転写ロールの直径方向に移動自在で、且つ回転自在に支持する支持部材と、前記支持部材を前記転写ロールの直径方向の一方側に付勢する付勢部材と、前記転写ロールを前記転写ロールの直径方向の他方側に解除自在に押し付ける押付部材とを有する転写装置にある。
【０００７】
好ましくは、前記転写ロールは、導電性の軸部と、この軸部の周囲に設けられた転写ロール本体とを有し、前記支持部材は、前記軸部を支持し、前記支持部材及び前記付勢部材が導電性である。
【０００８】
好ましくは、前記転写ロールは、前記転写ロールにより転写されるトナー像が保持される像保持体との軸間距離を制御するトラッキングロールを有する。
【０００９】
好ましくは、前記押付部材は、前記転写ロールの軸部の端部を覆う保護部を有し、前記転写ロールの軸部の端部を清掃する清掃部を有する。
【００１０】
本発明の第２の特徴とするところは、開閉自在に設けられた開閉部を有する画像形成装置本体と、トナー像が保持される像保持体と、前記開閉部に設けられた転写装置とを有し、前記転写装置は、前記像保持体に対向して設けられた転写ロールと、前記転写ロールを前記転写ロールの直径方向に移動自在で、且つ回転自在に支持する支持部材と、前記支持部材を前記転写ロールの直径方向の像保持体側に付勢する付勢部材と、前記転写ロールを前記転写ロールの直径方向の反像保持体側に解除自在に押し付ける押付部材とを有する画像形成装置にある。
【００１１】
好ましくは、前記開閉部を閉じた場合に前記押付部材が前記転写ロールを押し付けるように前記押付部材を前記開閉部に係合させる係合手段を有する。
【００１２】
好ましくは、前記開閉部を開いた場合に前記押付部材の前記開閉部との係合を解く解除手段を有する。
【発明の効果】
【００１３】
本発明によれば、転写ロールの装着・離脱を容易にし、開閉部の強い開閉動作の場合おいても転写ロールの脱落（抜け）を防止することができる。
【発明を実施するための最良の形態】
【００１４】
次に本発明の実施形態を説明する。
図１において、本発明の一実施形態に係る画像形成装置１０の概要が示されている。画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部に例えば２段の給紙ユニット１８が配置されている。
【００１５】
それぞれの給紙ユニット１８は、用紙が収納される給紙カセット２０と給紙ロール２２ａ、２２ｂとを有し、この給紙ロール２２ａ、２２ｂの回転により給紙カセット２０に積載されたシートがレジストロール２４に搬送される。
【００１６】
さらにレジストロール２４の下流側には、後述するプロセスカートリッジ（現像カートリッジ）２６の像保持体２８と転写装置３０とが対峙して設けられ、さらにその下流側には定着装置３２が設けられている。
【００１７】
したがって、給紙ユニット１８の給紙カセット２０から給紙ロール２２ａ及び２２ｂにより送り出されたシートは、レジストロール２４により一時停止され、タイミングをとって像保持体２８と転写装置３０との間を通って現像剤像が転写され、この転写された現像剤像が定着装置３２により定着され、排出ロール３４により排出部１６へ排出される。
【００１８】
像形成手段１４は電子写真式のもので、感光体からなる像保持体２８と、この像保持体２８を一様帯電する例えば帯電ロールからなる帯電装置３６と、この帯電装置３６により帯電された像保持体２８に、光により潜像を書き込む光書込み装置３８と、この光書込み装置３８により形成された像保持体２８の潜像を現像剤により可視化する現像装置４０と、現像装置４０による現像剤像を用紙に転写する、後述する転写装置３０と、像保持体２８に残存する現像剤をクリーニングするクリーニング装置４２と、転写装置３０により転写された用紙上の現像剤像を用紙に定着させる例えば加圧ロールと加熱ロールとからなる定着装置３２とから構成されている。光書込み装置３８は例えば走査型のレーザ露光装置からなり、後述するプロセスカートリッジ２６内を横切り、像保持体２８に潜像を形成する。クリーニング装置４２は、像保持体２８に接触するクリーニングブレード４４と、このクリーニングブレード４４で掻き落とされた現像剤を収納する現像剤回収部４６とを有する。
なお、光書込み装置３８は、他の実施形態としてＬＥＤや面発光レーザなどを用いることができる。
【００１９】
プロセスカートリッジ２６は、像保持体２８、帯電装置３６、現像装置４０及びクリーニング装置４２を一体化したものであり、これらを一体として交換できるようになっている。
【００２０】
転写装置３０周辺を図２に示す。
転写装置３０は、転写ロール５０、支持部材５２、付勢部材５４及び押付部材５６を有する。
【００２１】
転写ロール５０は、導電性の軸部５８と、軸部５８の周囲に設けられた導電性ゴムからなる転写ロール本体６０と、軸部５８の両端に設けられたトラッキングロール６２とを有し、このトラッキングロール６２は転写ロールによるトナー像が保持される像保持体２８との軸間距離を制御する。
【００２２】
支持部材５２は、導電性材料からなり、コの字形状を有し、軸部５８を支持する。
付勢部材５４は、導電性材料からなる例えば圧縮コイルバネであり、２つの支柱５５の間に設けられている。
支持部材５２が下面を付勢部材５４に付勢されることで、転写ロール５０は直径方向に移動自在且つ回転自在となり、支持部材５２及び転写ロール５０は像保持体２８側に押し出される。
【００２３】
押付部材５６を図３及び図４に示す。
押付部材５６は、例えばレバーであり、固定部６４、持手部６６、前脚部６８及び後脚部７０を有する。固定部６４は、例えば平形形状であり、軸部５８を軸部５８の直径方向の他方側に解除自在に押し付ける。持手部６６は、例えば四角形状であり、表面には軸方向に伸び複数の並列した突起７２を有する。さらに、持ち手部６６は、手で掴みやすいように固定部６４とほぼ１３５°から１５０°の角度をなして接続されている。前脚部６８は、固定部６４と略垂直に接続されている。前脚部６８の先端には、前脚部先端６９を有し、前脚部先端６９を支点に転写ロールを解除自在に可動する。後脚部７０は、固定部６４と略垂直に接続され、前脚部６８と並列している。さらに後脚部７０は、先端に切欠き形状で開閉部７５の本体係合部７３に係合する押付部材係合部７４を有する。
【００２４】
図５において、本発明の一実施形態に係る開閉部７５を有する画像形成装置１０の概要が示されている。
画像形成装置１０は、画像形成装置本体１２と、開閉部７５を有している。画像形成装置本体１２と開閉部７５は、画像形成装置１０の下方端にあるヒンジ７６で連結している。この開閉部７５は、ヒンジ７６を支点に画像形成装置本体１２に装着された状態からほぼ９０°開閉自在である。さらに、開閉部７５には、転写装置３０が取り付けられており、開閉部７５を開くことで転写装置３０は画像形成装置本体１２から開放され、転写ロール５０は重力方向に支持部材５２に支持され、反重力方向に交換可能である。したがって、開閉部７５を開き、転写ロールが重力方向で支えられているため、転写ロール５０の離脱・装着は容易となり、開閉部７５を強く開いても転写ロールの脱落（抜け）を防止することができる。
【００２５】
図６乃至図８において、開閉部７５を閉じた場合の転写装置３０の様子が示されている。
画像形成装置本体１２の開閉部７５近辺にはガイド７７が設けられている。ガイド７７は、装置本体１２と略水平に左右に伸び、開閉部７５から遠ざかるにつれて下がった形状をしている。ガイド７７は、溝７８、溝７８内に設けられた感知部材８０及び溝７８内に設けられた付勢部材８２を有する。感知部材８０は、開閉部側が円弧形状を有する。付勢部材８２は、例えば圧縮コイルバネであり、溝７８の反開閉部側で固定され、感知部材８０の円弧形状の他方側を付勢する。感知部材８０は、付勢部材８２に付勢されてガイド７７の溝７８に沿ってＰ点とＱ点の間を移動可能である。
【００２６】
転写装置３０は、転写ロール５０の軸部５８を支持部材５２に載置した後、開閉部７５を閉じることで、前脚部先端６９を支点に押付部材５６が支持部材５２を覆うように移動し、転写ロール５０の軸部５８が押付部材５６の固定部６４によって支持部材５２に押し込まれ、付勢部材５４の付勢力に抗して押付部材５６の押付部材係合部７４が開閉部７５の本体係合部７３と係合する。そして持手部６６の突起７２がＰ点で感知部材８０の円弧先端に触れ、ガイド７７に沿って反開閉部側へ転写装置３０が案内される。そして、Ｑ点に達すると持手部６６が感知部材８０から離れ、転写ロール５０は装置本体１２に装着、固定、位置決めされ、像保持体２８と対峙する。なお、転写ロール５０と支持部材５２は付勢部材５４により像保持体２８側方向に付勢されているが、押付部材５６が装着されていることによりそれら転写ロール５０と支持部材５２が所定位置より像保持体２８側に飛び出すことはない。従って、転写ロール５０が支持部材５２から抜け落ちるのを防止することができる。
【００２７】
また、開閉部７５を開くと、転写ロール５０が像保持体２８と離れる方向へ移動する。そして、持手部６６の突起７２が、Ｑ点からガイド７７に案内されてＰ点で感知部材８０から離れ、押付部材５６と開閉部７５との係合が解かれる。
【００２８】
すなわち、開閉部７５を閉じることで転写装置３０が開閉部に係合されることから、作業忘れ防止ができ、開閉部７５を開くことで押付部材５６の係合が解除になることから、取外す動作の一工程を省くことができる。
【００２９】
次に、第２の実施形態における押付部材５６を図９及び図１０に示す。
第２の実施形態における押付部材５６は、上述の第１の実施形態における押付部材５６の固定部６４に保護カバー８２を取付けたものである。
保護カバー８２は、固定部６４を軸方向に延ばし、トラッキングロール６２を覆うように略垂直に接続されている。すなわち、保護カバー８２は、転写ロール５０の両端に設けられたトラッキングロール６２を二面で覆っている。さらに、保護カバー８２の内面に、清掃部８４である例えば布あるいはスポンジを設けるとよい。このようにすることにより、転写ロール５０を取外す際に装置内の浮遊トナーにより汚れやすいトラッキングロール６２を持つことになるが、固定部６４に対して、保護カバー８２で覆い清掃部８４を接触するようにしておくことで汚れを軽減でき、作業者の手を汚すことが無くなる。
【図面の簡単な説明】
【００３０】
【図１】本発明の実施形態に係る画像形成装置の概略断面図である。
【図２】本発明の実施形態に係る転写装置装着時の（ａ）平面図と（ｂ）Ａ−Ａ断面図である。
【図３】本発明の実施形態に係る押付部材装着時における平面図である。
【図４】本発明の実施形態に係る押付部材の斜視図である。
【図５】本発明の実施形態に係る開閉部を開いた様子を示す断面図である。
【図６】本発明の実施形態に係る開閉部を閉じた時の転写装置の様子を示す断面図である。
【図７】本発明の実施形態に係る転写ロールが装着される様子を示す断面図である。
【図８】本発明の実施形態に係るガイドを介して転写装置が装着される様子を示す断面図である。
【図９】本発明の第２の実施形態にかかる押付部材装着時における平面図である。
【図１０】本発明の第２の実施形態にかかる押付部材の斜視図である。
【符号の説明】
【００３１】
１０    画像形成装置
１２    画像形成装置本体
２８    像保持体
３０    転写装置
５０    転写ロール
５２    支持部材
５４、８２  付勢部材
５６    押付部材
５８    軸部
６２    トラッキングロール
６４    固定部
６６    持手部
７２    突起
７３    本体係合部
７４    押付部材係合部
７５    開閉部
７７    ガイド
７８    溝
８０    感知部材
８２    保護カバー
８４    清掃部
【図１】
2009229677.tif 000003
【図２】
2009229677.tif 000004
【図３】
2009229677.tif 000005
【図４】
2009229677.tif 000006
【図５】
2009229677.tif 000007
【図６】
2009229677.tif 000008
【図７】
2009229677.tif 000009
【図８】
2009229677.tif 000010
【図９】
2009229677.tif 000011
【図１０】
2009229677.tif 000012